(57)【要約】【課題】強制発光を行う場合において撮影シーンに応じた照明光の発光を行う。【解決手段】被写体からの光を撮像する撮像部１３と、撮影シーンを判定する判定部４と、前記被写体を照明する照明光を発光する発光部２８と、前記撮像部において撮像を行う際に前記判定部により撮影シーンの判定を行うシーン判定の設定を行う第１の設定部４と、前記撮像部において撮像を行う際に前記発光部により照明光を強制的に発光させる強制発光の設定を行う第２の設定部４と、前記第１の設定部により前記シーン判定が設定され、かつ前記第２の設定部により前記強制発光が設定された場合に、前記判定部により判定された撮影シーンに基づいて前記発光部による発光を制御する制御部４とを備える。【選択図】図１
2014032233.tif 000002
【特許請求の範囲】
【請求項１】
被写体からの光を撮像する撮像部と、
撮影シーンを判定する判定部と、
前記被写体を照明する照明光を発光する発光部と、
前記撮像部において撮像を行う際に前記判定部により撮影シーンの判定を行うシーン判定の設定を行う第１の設定部と、
前記撮像部において撮像を行う際に前記発光部により照明光を強制的に発光させる強制発光の設定を行う第２の設定部と、
前記第１の設定部により前記シーン判定が設定され、かつ前記第２の設定部により前記強制発光が設定された場合に、前記判定部により判定された撮影シーンに基づいて前記発光部による発光を制御する制御部と
を備えることを特徴とする撮像装置。
【請求項２】
前記制御部は、前記発光部に前記判定部により判定された撮影シーンに応じた発光を行わせることを特徴とする請求項１記載の撮像装置。
【請求項３】
前記制御部は、前記判定部により判定された撮影シーンが所定の撮影シーンである場合には前記発光部による発光を禁止し、前記判定部により判定された撮影シーンが他の撮影シーンである場合には前記発光部により撮影シーンに応じた発光を行わせることを特徴とする請求項１記載の撮像装置。
【請求項４】
前記判定部により判定された撮影シーンを報知する報知部を備え、
前記報知部は、前記判定部により判定された撮影シーンが所定の撮影シーンである場合には報知を行わないことを特徴とする請求項１記載の撮像装置。
【請求項５】
前記所定の撮影シーンは、風景シーンまたは夜景シーンであることを特徴とする請求項３または４記載の撮像装置。
【請求項６】
被写体からの光を撮像する撮像部と、
撮影シーンを判定する判定部と、
前記被写体を照明する照明光を発光する発光部と、
前記撮像部において撮像を行う際に前記判定部により撮影シーンの判定を行うシーン判定の設定を行う第１の設定部と、
前記撮像部において撮像を行う際に前記発光部により照明光を強制的に発光させる強制発光の設定を行う第２の設定部と、
前記第１の設定部により前記シーン判定が設定され、かつ前記第２の設定部により前記強制発光が設定された場合に、前記判定部による撮影シーンの判定を禁止すると共に前記発光部により照明光を強制的に発光させる制御部と
を備えることを特徴とする撮像装置。
【発明の詳細な説明】
【技術分野】
【０００１】
本発明は、撮像装置に関するものである。
【背景技術】
【０００２】
従来、照明光を強制的に発光して被写体光の撮像を行う強制発光モードを有するカメラが知られている（例えば、特許文献１参照）。
【先行技術文献】
【特許文献】
【０００３】
【特許文献１】特開平１０−０２０３５５号公報
【発明の概要】
【発明が解決しようとする課題】
【０００４】
ところで上述のカメラにおいては、強制発光モードが設定されている場合には、撮影シーンにかかわらず照明光の強制発光が行われるため、撮影シーンに応じた照明光の発光を行うことができないという問題があった。
【０００５】
本発明の目的は、強制発光を行う場合において撮影シーンに応じた照明光の発光を行うことができる撮像装置を提供することである。
【課題を解決するための手段】
【０００６】
本発明の撮像装置は、被写体からの光を撮像する撮像部と、撮影シーンを判定する判定部と、前記被写体を照明する照明光を発光する発光部と、前記撮像部において撮像を行う際に前記判定部により撮影シーンの判定を行うシーン判定の設定を行う第１の設定部と、前記撮像部において撮像を行う際に前記発光部により照明光を強制的に発光させる強制発光の設定を行う第２の設定部と、前記第１の設定部により前記シーン判定が設定され、かつ前記第２の設定部により前記強制発光が設定された場合に、前記判定部により判定された撮影シーンに基づいて前記発光部による発光を制御する制御部とを備えることを特徴とする。
【０００７】
また、本発明の撮像装置は、被写体からの光を撮像する撮像部と、撮影シーンを判定する判定部と、前記被写体を照明する照明光を発光する発光部と、前記撮像部において撮像を行う際に前記判定部により撮影シーンの判定を行うシーン判定の設定を行う第１の設定部と、前記撮像部において撮像を行う際に前記発光部により照明光を強制的に発光させる強制発光の設定を行う第２の設定部と、前記第１の設定部により前記シーン判定が設定され、かつ前記第２の設定部により前記強制発光が設定された場合に、前記判定部による撮影シーンの判定を禁止すると共に前記発光部により照明光を強制的に発光させる制御部とを備えることを特徴とする。
【発明の効果】
【０００８】
本発明の撮像装置によれば、強制発光を行う場合において撮影シーンに応じた照明光の発光を行うことができる。
【図面の簡単な説明】
【０００９】
【図１】第１の実施の形態に係るデジタルカメラの構成を示すブロック図である。
【図２】第１の実施の形態に係るデジタルカメラの処理を示すフローチャートである。
【図３】第１の実施の形態に係るデジタルカメラの強制発光モードの処理を示すフローチャートである。
【図４】第１の実施の形態に係るデジタルカメラの各撮影シーンに対応する発光モードを示す図である。
【図５】第１の実施の形態に係るデジタルカメラの自動発光モードの処理を示すフローチャートである。
【図６】第１の実施の形態に係るデジタルカメラの発光禁止モードの処理を示すフローチャートである。
【図７】第２の実施の形態に係るデジタルカメラの強制発光モードの処理を示すフローチャートである。
【図８】第３の実施の形態に係るデジタルカメラの強制発光モードの処理を示すフローチャートである。
【図９】第４の実施の形態に係るデジタルカメラの強制発光モードの処理を示すフローチャートである。
【発明を実施するための形態】
【００１０】
以下、図面を参照して第１の実施の形態に係る撮像装置についてデジタルカメラを例に説明する。図１は、実施の形態に係るデジタルカメラ２の構成を示すブロック図である。デジタルカメラ２は、ＣＰＵ４を備え、ＣＰＵ４には、図示しない電源ボタンやレリーズボタンを含む操作部６、ＬＣＤ表示部８の表示制御を行う表示制御部１０、ＬＣＤ表示部８に表示されるアイコンが指等でタッチされたことを検出するタッチパネル１２、被写体光を撮像する撮像素子１３、撮像素子１３により撮像された画像の画像データを一時的に記憶するバッファメモリ１８、画像データから画像の撮影シーンを判定するシーン判定部２０、シーン判定部２０により判定された撮影シーンに関する情報を記憶する情報記憶部２２、画像の画像データを記憶する画像記憶部２３、所定のファイル形式の画像データを記憶するメモリカード２４を装着するメモリカードスロット２６、フラッシュ光源２８の点灯、消灯及びフラッシュ光源２８から射出される照明光の発光量を調節する光源制御部３０が接続されている。
【００１１】
次に、図２に示すフローチャートを参照して、第１の実施の形態に係るデジタルカメラ２の処理について説明する。まずＣＰＵ４は、撮像素子１３にスルー画像の撮影を開始させ、ＬＣＤ表示部８にスルー画像を表示させる。即ち、ＣＰＵ４は、撮像素子１３により撮像された画像の画像データを順次バッファメモリ１８に記憶させた後、画像データに基づく画像をＬＣＤ表示部８に表示させる。
【００１２】
次に、ＣＰＵ４は、撮影を行う際に撮影シーンを自動判定する自動シーン判定モードが設定されているか否かの判定を行う（ステップＳ１）。自動シーン判定モードが設定されていない場合（ステップＳ１：Ｎｏ）、ＣＰＵ４は、自動シーン判定モードの処理を行うことなく一連の処理を終了する。一方、自動シーン判定モードが設定されている場合（ステップＳ１：Ｙｅｓ）、ＣＰＵ４は、現在設定されているフラッシュ光源２８の発光モードを判定する（ステップＳ２）。ここで、フラッシュ光源２８の発光モードとしては、操作者により予め設定可能な３種類の発光モードが存在する。即ち、シーン判定部２０により判定された全ての撮影シーンおいて照明光を強制発光させる強制発光モード、すべての撮影シーンおいて照明光の発光を禁止する発光禁止モード、及び撮影シーンに基づいて照明光を発光するか否かを決定する自動発光モードの３種類の発光モードが存在する。
【００１３】
ステップＳ２の判定の結果、発光モードが強制発光モードに設定されている場合はステップＳ３の処理に進む。また、発光モードが自動発光モードに設定されている場合はステップＳ４の処理に進み、発光モードが発光禁止モードに設定されている場合はステップＳ５の処理に進む。
【００１４】
次に、図３のフローチャートを参照して、図２のステップＳ２において発光モードが強制発光モードに設定されていると判定された場合の処理（ステップＳ３）について説明する。発光モードが強制発光モードに設定されている場合、ＣＰＵ４は、バッファメモリ１８から画像データを読み出し、シーン判定部２０に画像データに基づく画像の撮影シーンを判定させる（ステップＳ１１）。
【００１５】
即ち、撮影シーンが図４に示す「風景」、「ポートレート」、「夜景」、「夜景ポートレート」、「クローズアップ」、「逆光風景」、「逆光ポートレート」の何れであるかをシーン判定部２０に判定させる。ここで、ＣＰＵ４は、撮影シーン判定の際に、画像データから所定の情報を検出する。例えば、被写体の明るさに関する情報、画像データに基づく画像のコントラストに関する情報、画像データに基づく画像に人物の顔が含まれるか否かに関する情報等を検出する。そして、これらの検出された情報を用いてシーン判定部２０に撮影シーンを判定させる。
【００１６】
次に、ＣＰＵ４は、シーン判定部２０により判定された撮影シーンに関する情報を情報記憶部２２に記憶させると共に、判定された撮影シーンを示すアイコンの画像をＬＣＤ表示部８に表示させる（ステップＳ１２）。
【００１７】
次に、操作者によりレリーズボタンが操作されると（ステップＳ１３）、ＣＰＵ４は、フラッシュ光源２８に撮影シーンに応じた発光を行わせながら（ステップＳ１４）、撮像素子１３に被写体の撮影を行わせる（ステップＳ１５）。例えば、撮影シーンが図４に示す「風景」である場合、ＣＰＵ４は、フラッシュ光源２８からフラッシュ光を射出させ、フラッシュ光で被写体を照明しながら撮像素子１３に被写体の撮影を行わせる。
【００１８】
また、撮影シーンが「ポートレート」である場合、ＣＰＵ４は、フラッシュ光源２８に被写体となる人物の眼が赤く写る赤目現象を軽減する赤目軽減発光を行わせる。即ち、ＣＰＵ４は、フラッシュ光源２８からフラッシュ光よりも発光量の少ない補助光を一旦射出させた後（プリ発光）、改めてフラッシュ光を射出させる（本発光）。そして、フラッシュ光で被写体を照明しながら撮像素子１３に被写体の撮影を行わせる。
【００１９】
また、撮影シーンが「夜景」である場合、ＣＰＵ４はフラッシュ光源２８に、シャッター速度を低速にした状態でフラッシュ光を射出するスローシンクロ発光を行わせる。即ち、ＣＰＵ４は、シャッター速度を「夜景」及び「夜景ポートレート」以外の撮影シーンのシャッター速度よりも低速に設定し、フラッシュ光で被写体を照明しながら低速のシャッター速度で撮像素子１３に被写体の撮影を行わせる。
【００２０】
また、撮影シーンが「夜景ポートレート」である場合、ＣＰＵ４はフラッシュ光源２８に、シャッター速度を低速にした状態で赤目軽減発光を行う赤目軽減スローシンクロ発光を行わせる。即ち、ＣＰＵ４は、シャッター速度を「夜景」及び「夜景ポートレート」以外の撮影シーンのシャッター速度よりも低速に設定し、フラッシュ光源２８にプリ発光を行わせた後に本発光を行わせる。そして、本発光のフラッシュ光で被写体を照明しながら低速のシャッター速度で撮像素子１３に被写体の撮影を行わせる。
【００２１】
また、撮影シーンが「クローズアップ」、「逆光風景」、及び「逆光ポートレート」の何れかである場合、ＣＰＵ４は、撮影シーンが「風景」である場合と同様に、フラッシュ光源２８からフラッシュ光を射出させ、フラッシュ光で被写体を照明しながら撮像素子１３に被写体の撮影を行わせる。
【００２２】
撮像素子１３により被写体の撮影が行われると、ＣＰＵ４は、撮影された画像の画像データを画像記憶部２３に一旦記憶させる。次に、ＣＰＵ４は画像記憶部２３から画像データを読み出すと共に情報記憶部２２から撮影シーンに関する情報を読み出し、撮影シーンに関する情報を画像データにタグ情報として付加した後、Ｅｘｉｆ等の所定のファイル形式の画像データとしてメモリカード２４に記憶させる（ステップＳ１６）。
【００２３】
図５は、第１の実施の形態に係るデジタルカメラ２における自動発光モードの処理を示すフローチャートである。ＣＰＵ４は、図２のステップＳ２において発光モードが自動発光モードに設定されていると判定した場合、図５に示す自動発光モードの処理（図２、ステップＳ４参照）を行う。即ち、ＣＰＵ４は、シーン判定部２０に画像データに基づく画像の撮影シーンを判定させ（ステップＳ２１）、シーン判定部２０により判定された撮影シーンに関する情報を情報記憶部２２に記憶させる。次に、ＣＰＵ４は、判定された撮影シーンを示すアイコンの画像をＬＣＤ表示部８に表示させる（ステップＳ２２）。
【００２４】
次に、操作者によりレリーズボタンが操作されると（ステップＳ２３）、ＣＰＵ４は、撮影シーンが所定の撮影シーンである場合にはフラッシュ光源２８による発光を禁止し、撮影シーンが他の撮影シーンである場合にはフラッシュ光源２８に撮影シーンに応じた発光を行わせながら（ステップＳ２４）、撮像素子１３に被写体の撮影を行わせる（ステップＳ２５）。例えば、撮影シーンが図４に示す「風景」または「夜景」である場合、ＣＰＵ４は、フラッシュ光源２８による発光を禁止し、照明光を射出せずに撮像素子１３に被写体の撮影を行わせる。
【００２５】
また、撮影シーンが「ポートレート」である場合、ＣＰＵ４は、まず、撮影シーン判定の際に検出した被写体の明るさに基づいて照明光の発光が必要か否かを判定する。照明光の発光が必要な場合、フラッシュ光源２８に赤目軽減発光を行わせ、フラッシュ光で被写体を照明しながら撮像素子１３に被写体の撮影を行わせる。一方、照明光の発光が必要でない場合、ＣＰＵ４は、照明光を射出せずに撮像素子１３に被写体の撮影を行わせる。
【００２６】
また、撮影シーンが「夜景ポートレート」である場合、ＣＰＵ４は、照明光の発光が必要か否かを判定し、照明光の発光が必要であれば、フラッシュ光源２８に赤目軽減スローシンクロ発光を行わせ、フラッシュ光で被写体を照明しながら低速のシャッター速度で撮像素子１３に被写体の撮影を行わせる。一方、照明光の発光が必要でない場合、ＣＰＵ４は、照明光を射出せずに撮像素子１３に被写体の撮影を行わせる。
【００２７】
また、撮影シーンが「クローズアップ」または「逆光風景」である場合、ＣＰＵ４は、照明光の発光が必要か否かを判定し、照明光の発光が必要であれば、フラッシュ光源２８からフラッシュ光を射出させ、フラッシュ光で被写体を照明しながら撮像素子１３に被写体の撮影を行わせる。一方、照明光の発光が必要でない場合、ＣＰＵ４は、照明光を射出せずに撮像素子１３に被写体の撮影を行わせる。
【００２８】
また、撮影シーンが「逆光ポートレート」である場合、ＣＰＵ４は、フラッシュ光源２８からフラッシュ光を射出させ、フラッシュ光で被写体を照明しながら撮像素子１３に被写体の撮影を行わせる。
【００２９】
撮像素子１３により被写体の撮影が行われると、ＣＰＵ４は、撮影された画像の画像データを画像記憶部２３に一旦記憶させる。次に、ＣＰＵ４は画像記憶部２３から画像データを読み出すと共に情報記憶部２２から撮影シーンに関する情報を読み出し、撮影シーンに関する情報を画像データにタグ情報として付加した後、Ｅｘｉｆ等の所定のファイル形式の画像データとしてメモリカード２４に記憶させる（ステップＳ２６）。
【００３０】
図６は、第１の実施の形態に係るデジタルカメラ２における発光禁止モードの処理を示すフローチャートである。ＣＰＵ４は、図２のステップＳ２において発光モードが発光禁止モードに設定されていると判定した場合、図６に示す発光禁止モードの処理（図２、ステップＳ５参照）を行う。即ち、ＣＰＵ４は、シーン判定部２０に画像データに基づく画像の撮影シーンを判定させ（ステップＳ３１）、シーン判定部２０により判定された撮影シーンに関する情報を情報記憶部２２に記憶させる。次に、ＣＰＵ４は、判定された撮影シーンを示すアイコンの画像をＬＣＤ表示部８に表示させる（ステップＳ３２）。
【００３１】
次に、操作者によりレリーズボタンが操作されると（ステップＳ３３）、ＣＰＵ４は、フラッシュ光源２８による発光を禁止し（ステップＳ３４）、照明光を射出せずに撮像素子１３に被写体の撮影を行わせる（ステップＳ３５）。
【００３２】
次に、ＣＰＵ４は、撮影された画像の画像データを画像記憶部２３に一旦記憶させる。次に、ＣＰＵ４は画像記憶部２３から画像データを読み出すと共に情報記憶部２２から撮影シーンに関する情報を読み出し、撮影シーンに関する情報を画像データにタグ情報として付加した後、Ｅｘｉｆ等の所定のファイル形式の画像データとしてメモリカード２４に記憶させる（ステップＳ３６）。
【００３３】
この第１の実施の形態に係るデジタルカメラ２によれば、自動シーン判定モードが設定され、かつ強制発光モードが設定された場合において、撮影シーンに応じた照明光の発光を行うことができる。
【００３４】
また、強制発光モードにおいては、自動発光モードでは照明光が発光されない撮影シーンでも照明光が発光されるため、操作者の意図した通りに撮影シーンの判定がなされない場合でも良好な画像を撮影することができる。例えば、操作者が非常に暗い場所で夜景の中の人物を撮影した場合、撮影シーンの判定時に画像データに基づく画像から人物の顔が検出されず、撮影シーンが「夜景ポートレート」ではなく「夜景」と判定されることがありうる。この場合、照明光の発光モードが自動発光モードに設定されていると、フラッシュ光が射出されないため（図４参照）、夜景の中の人物を良好に撮影することができなくなる。しかし、照明光の発光モードが強制発光モードに設定されていれば、撮影シーンが「夜景」でもスローシンクロ発光が行われるため（図４参照）、操作者は、夜景と共に人物を適正な明るさで撮影することができる。
【００３５】
なお、「ポートレート」と判定されるべき撮影シーンが「風景」と判定された場合にも同様の効果を得ることができる。即ち、照明光の発光モードが強制発光モードに設定されていれば、撮影シーンが「風景」でもフラッシュ光が射出されるため（図４参照）、操作者は、風景と共に人物を適正な明るさで撮影することができる。
【００３６】
次に、第２の実施の形態に係るデジタルカメラの処理について説明する。この第２の実施の形態に係るデジタルカメラは、強制発光モードが設定された場合に、第１の実施の形態では全ての撮影シーンで強制発光される照明光を、所定の撮影シーンにおいて発光させないようにしたものである。従って、第２の実施の形態では、第１の実施の形態と異なる部分である強制発光モードの処理についてのみ詳細に説明する。
【００３７】
図７は、第２の実施の形態に係るデジタルカメラにおける強制発光モードの処理を示すフローチャートである。発光モードが強制発光モードに設定されている場合、ＣＰＵ４は、シーン判定部２０に画像データに基づく画像の撮影シーンを判定させ（ステップＳ４１）、シーン判定部２０により判定された撮影シーンに関する情報を情報記憶部２２に記憶させる。次に、ＣＰＵ４は、判定された撮影シーンを示すアイコンの画像をＬＣＤ表示部８に表示させる（ステップＳ４２）。
【００３８】
次に、操作者によりレリーズボタンが操作されると（ステップＳ４３）、ＣＰＵ４は、撮影シーンが所定の撮影シーンである場合にはフラッシュ光源２８による発光を禁止し、撮影シーンが他の撮影シーンである場合にはフラッシュ光源２８に撮影シーンに応じた発光を行わせながら（ステップＳ４４）、撮像素子１３に被写体の撮影を行わせる（ステップＳ４５）。例えば、撮影シーンが図４に示す「風景」または「夜景」である場合、ＣＰＵ４は、フラッシュ光源２８による発光を禁止し、照明光を射出せずに撮像素子１３に被写体の撮影を行わせる。
【００３９】
また、撮影シーンが「ポートレート」である場合、ＣＰＵ４は、フラッシュ光源２８に赤目軽減発光を行わせ、フラッシュ光で被写体を照明しながら撮像素子１３に被写体の撮影を行わせる。また、撮影シーンが「夜景ポートレート」である場合、ＣＰＵ４は、フラッシュ光源２８に赤目軽減スローシンクロ発光を行わせ、フラッシュ光で被写体を照明しながら低速のシャッター速度で撮像素子１３に被写体の撮影を行わせる。
【００４０】
また、撮影シーンが「クローズアップ」、「逆光風景」、及び「逆光ポートレート」の何れかである場合、ＣＰＵ４は、フラッシュ光源２８からフラッシュ光を射出させ、フラッシュ光で被写体を照明しながら撮像素子１３に被写体の撮影を行わせる。
【００４１】
撮像素子１３により被写体の撮影が行われると、ＣＰＵ４は、撮影された画像の画像データを画像記憶部２３に一旦記憶させる。次に、ＣＰＵ４は画像記憶部２３から画像データを読み出すと共に情報記憶部２２から撮影シーンに関する情報を読み出し、撮影シーンに関する情報を画像データにタグ情報として付加した後、Ｅｘｉｆ等の所定のファイル形式の画像データとしてメモリカード２４に記憶させる（ステップＳ４６）。
【００４２】
この第２の実施の形態に係るデジタルカメラによれば、自動シーン判定モードが設定され、かつ強制発光モードが設定された場合において、撮影シーンに応じた照明光の発光を行うことができる。また、照明光を発光させることが適切でない「風景」、「夜景」では照明光が発光されないため、撮影シーンが「風景」、「夜景」と判定された場合においても適切な撮影を行うことができる。
【００４３】
次に、第３の実施の形態に係るデジタルカメラの処理について説明する。この第３の実施の形態に係るデジタルカメラは、強制発光モードが設定された場合に、第１の実施の形態では全ての撮影シーンでＬＣＤ表示部８に表示されるアイコンの画像を、所定の撮影シーンにおいて表示させないようにしたものである。従って、第３の実施の形態では、第１の実施の形態と異なる部分である強制発光モードの処理についてのみ詳細に説明する。
【００４４】
図８は、第３の実施の形態に係るデジタルカメラにおける強制発光モードの処理を示すフローチャートである。発光モードが強制発光モードに設定されている場合、ＣＰＵ４は、シーン判定部２０に画像データに基づく画像の撮影シーンを判定させ（ステップＳ５０）、シーン判定部２０により判定された撮影シーンに関する情報を情報記憶部２２に記憶させる。
【００４５】
そして、シーン判定部２０により判定された撮影シーンが「風景」または「夜景」である場合（ステップＳ５１：Ｙｅｓ）、ＣＰＵ４は、判定された撮影シーンを示すアイコンの画像をＬＣＤ表示部８に表示させずにステップＳ５３の処理に進む。一方、撮影シーンが「風景」、「夜景」でない場合（ステップＳ５１：Ｎｏ）、ＣＰＵ４は、判定された撮影シーンを示すアイコンの画像をＬＣＤ表示部８に表示させる（ステップＳ５２）。
【００４６】
次に、操作者によりレリーズボタンが操作されると（ステップＳ５３）、ＣＰＵ４は、フラッシュ光源２８に撮影シーンに応じた発光を行わせながら（ステップＳ５４）、撮像素子１３に被写体の撮影を行わせる（ステップＳ５５）。例えば、撮影シーンが図４に示す「風景」である場合、ＣＰＵ４は、フラッシュ光源２８からフラッシュ光を射出させ、フラッシュ光で被写体を照明しながら撮像素子１３に被写体の撮影を行わせる。
【００４７】
また、撮影シーンが「ポートレート」である場合、ＣＰＵ４は、フラッシュ光源２８に赤目軽減発光を行わせ、フラッシュ光で被写体を照明しながら撮像素子１３に被写体の撮影を行わせる。また、撮影シーンが「夜景」である場合、ＣＰＵ４は、フラッシュ光源２８にスローシンクロ発光を行わせ、フラッシュ光で被写体を照明しながら低速のシャッター速度で撮像素子１３に被写体の撮影を行わせる。
【００４８】
また、撮影シーンが「夜景ポートレート」である場合、ＣＰＵ４は、フラッシュ光源２８に赤目軽減スローシンクロ発光を行わせ、フラッシュ光で被写体を照明しながら低速のシャッター速度で撮像素子１３に被写体の撮影を行わせる。また、撮影シーンが「クローズアップ」、「逆光風景」、「逆光ポートレート」の何れかである場合、ＣＰＵ４は、フラッシュ光源２８からフラッシュ光を射出させ、フラッシュ光で被写体を照明しながら撮像素子１３に被写体の撮影を行わせる。
【００４９】
撮像素子１３により被写体の撮影が行われると、ＣＰＵ４は、撮影された画像の画像データを画像記憶部２３に一旦記憶させる。次に、ＣＰＵ４は画像記憶部２３から画像データを読み出すと共に情報記憶部２２から撮影シーンに関する情報を読み出し、撮影シーンが「風景」または「夜景」であるか否かを判定する（ステップＳ５６）。
【００５０】
撮影シーンが「風景」、「夜景」である場合（ステップＳ５６：Ｙｅｓ）、ＣＰＵ４は、撮影シーンに関する情報を画像データに付加せずに画像データをメモリカード２４に記憶させる（ステップＳ５７）。
【００５１】
一方、撮影シーンが「風景」または「夜景」でない場合（ステップＳ５６：Ｎｏ）、ＣＰＵ４は、撮影シーンに関する情報を画像データにタグ情報として付加した後、Ｅｘｉｆ等の所定のファイル形式の画像データとしてメモリカード２４に記憶させる（ステップＳ５８）。
【００５２】
この第３の実施の形態に係るデジタルカメラによれば、本来照明光を発光すべきでない「風景」、「夜景」で照明光が発光された場合、撮影シーンを示すアイコンの画像をＬＣＤ表示部８に表示させないことにより、デジタルカメラが推奨する状態で撮影が行われていないことを報知することができる。
【００５３】
次に、第４の実施の形態に係るデジタルカメラの処理について説明する。この第４の実施の形態に係るデジタルカメラは、強制発光モードが設定された場合において、第１の実施の形態で行われる撮影シーンの判定を禁止するようにしたものである。従って、第４の実施の形態では、第１の実施の形態と異なる部分である強制発光モードの処理についてのみ詳細に説明する。
【００５４】
図９は、第４の実施の形態に係るデジタルカメラにおける強制発光モードの処理を示すフローチャートである。発光モードが強制発光モードに設定されている場合（ステップＳ５）、ＣＰＵ４は、シーン判定部２０による撮影シーンの判定を禁止する（ステップＳ６１）。
【００５５】
次に、操作者によりレリーズボタンが操作されると（ステップＳ６２）、ＣＰＵ４は、画像データから被写体の明るさを検出する。次に、ＣＰＵ４は、フラッシュ光源２８に被写体の明るさに応じた発光を行わせながら（ステップＳ６３）、撮像素子１３に被写体の撮影を行わせる（ステップＳ６４）。
【００５６】
次に、ＣＰＵ４は、撮像素子１３により撮影された画像の画像データを画像記憶部２３に一旦記憶させた後、メモリカード２４に記憶させる（ステップＳ６５）。
【００５７】
この第４の実施の形態に係るデジタルカメラによれば、撮影シーンにかかわらず、被写体の明るさに応じた発光が行われるため、どのような撮影環境でも比較的失敗の少ない画像を撮影することができる。
【００５８】
なお、上述の実施の形態においては、撮影シーンの判定が行われた場合、撮影シーンを示すアイコンの画像をＬＣＤ表示部８に表示させているが、撮影シーンをＬＣＤ表示部８に文字で表示させてもよい。
【００５９】
また、上述の実施の形態において、タッチパネル１２を備えないようにしてもよい。そして、タッチパネル１２により行う操作を操作部６の操作により行うようにしてもよい。
【符号の説明】
【００６０】
２…デジタルカメラ、４…ＣＰＵ、６…操作部、８…ＬＣＤ表示部、１３…撮像素子、２０…シーン判定部、２４…メモリカード、２８…フラッシュ光源
【図１】
2014032233.tif 000003
【図２】
2014032233.tif 000004
【図３】
2014032233.tif 000005
【図４】
2014032233.tif 000006
【図５】
2014032233.tif 000007
【図６】
2014032233.tif 000008
【図７】
2014032233.tif 000009
【図８】
2014032233.tif 000010
【図９】
2014032233.tif 000011